(57)【要約】      （修正有）【課題】火災検知器の警戒区画において大型車両等による火源の遮蔽があっても失報しないトンネル防災システムを提供する。【解決手段】防災盤に信号線で接続され、トンネル内に所定間隔をあけて複数配置される火災検知器がその間の区画を二重に監視しているトンネル防災設備において、前記防災盤は、火災時に、互いに隣接する双方の火災検知器から火災検知信号を受信すると、その間の区画を火災断定する一方、互いに隣接する火災検知器のうち１つのみから火災検知信号を受信すると、前記区画の隣の区画を監視している火災検知器の感度を高くさせる。【選択図】図２
2010237868.tif 000002
【特許請求の範囲】
【請求項１】
防災盤に信号線で接続され、トンネル内に所定間隔をあけて複数配置される火災検知器がその間の区画を二重に監視しているトンネル防災設備において、前記防災盤は、火災時に、互いに隣接する双方の火災検知器から火災検知信号を受信すると、その間の区画を火災断定する一方、互いに隣接する火災検知器のうち１つのみから火災検知信号を受信すると、前記区画の隣の区画を監視している火災検知器の感度を高くさせることを特徴とするトンネル防災システム。
【請求項２】
前記区画の隣の区画を監視している火災検知器の感度は、その監視範囲が前記区画を含むまで高くするトンネル防災設備。
【発明の詳細な説明】
【技術分野】
【０００１】
本発明は、電気室内の防災盤と、防災盤に信号線により接続され、トンネル内の壁面等に所定間隔に設置された火災検知器と、を備えるトンネル防災システムに関するものである。
【背景技術】
【０００２】
従来のトンネル用防災受信盤は、監視室などに設置された防災受信盤からはトンネル側に対し伝送路が引き出されており、この伝送路に対し本発明の光学式火災検知器をトンネルの長手方向の一定間隔Ｌごとに設置している。火災検知器はトンネルの車道のトンネル壁面もしくは天井面に設置され、各火災検知器はトンネル長手方向に沿った両側の区画を監視している。
ここで、それぞれの火災検知器は左側検知部と右側検知部を有しており、例えば、隣同士に設置された、火災検知器の左側検知部と火災検知器の右側検知部とにより監視される区画毎に火災検知している。即ち、各区画は複数の火災検知器で二重に火災監視されている。
【０００３】
このため、ある区画で車両事故などにより火災が発生して火源が発生すると、火源の両側にある２台の火災検知器が火災を検出して防災受信盤に火災検出信号を送る。これを受けて防災受信盤では火災検知器の火災検出信号から火災の発生した防火区画を判定し、例えばトンネルの天井面側に設置している水噴霧設備の水噴霧ヘッドを火災の発生した区間について水噴霧自動弁を起動制御して消火用水を散布する。
【特許文献１】特開２００３−０６７８６１号公報
【発明の開示】
【発明が解決しようとする課題】
【０００４】
従来のトンネル防災システムにおいては、隣同士に設置された、火災検知器の左側検知
部と火災検知器の右側検知部とで二重に火災監視されているいずれかの区画に大型トラックなどが停車して火源を遮蔽すると、いずれか１台の火災検知器からの火災検出信号しか受信しないため、防災盤がその区画を火災断定できずに失報していた。
【０００５】
本発明は、火災検知器の監視区画において大型車両等による火源の遮蔽があっても失報しないトンネル防災システムを提供することを目的とする。
【課題を解決するための手段】
【０００６】
本発明に係るトンネル防災システムは、防災盤に信号線で接続され、トンネル内に所定間隔をあけて複数配置される火災検知器がその間の区画を二重に監視しているトンネル防災設備において、前記防災盤は、火災時に、互いに隣接する双方の火災検知器から火災検知信号を受信すると、その間の区画を火災断定する一方、互いに隣接する火災検知器のうち１つのみから火災検知信号を受信すると、前記区画の隣の区画を監視している火災検知器の感度を高くさせることを特徴とするものである。
【０００７】
また、本発明に係るトンネル防災システムは、前記区画の隣の区画を監視している火災検知器の感度は、その監視範囲が前記区画を含むまで高くすることを特徴とするものである。
【発明の効果】
【０００８】
本発明のトンネル防災システムの効果は、火災検知器の監視区画において大型車両等による遮蔽があっても、防災盤は火災が発生した区画を確実に火災断定できる。
【０００９】
また、近隣の区画を監視している火災検知器の感度を高くするため、火災検知器の設置台数を増やす必要がない。
【図面の簡単な説明】
【００１０】
【図１】本発明におけるトンネル防災システムに係る火災検知器の火災検出部の機能ブロック図である。
【図２】本発明におけるトンネル防災システムに係る火災検知器１０の前方の大型車両８等により火源が遮蔽されたときの防災盤１００の火災判定動作フローである。
【図３】本発明におけるトンネル防災システムに係る火災検知器１０の前方の大型車両８等により火源が遮蔽されたときの区画毎の火災検知器の状態を示す概略図である。
【図４】従来におけるトンネル防災システムに係る火災検知器１０の前方の大型車両８等により火源が遮蔽されたときの区画毎の火災検知器の状態を示す概略図である。
【発明を実施するための形態】
【００１１】
実施の形態
図１は、本発明におけるトンネル防災システムに係る火災検知器１０の火災検出部のブロック図である。火災検出部は、火災検知器１０の左方向の火災監視区画を監視する左方向監視用受光部と、火災検知器１０の右方向の火災監視区画を監視する右方向監視用受光部と、で独立しているが、それぞれ同じ動作をするために、ここでは左方向監視用受光部のみを示す。
【００１２】
受光部１は、例えば、短波長領域の検出感度が高いフォトダイオードと、長波長領域の検出感度が高い焦電素子と、により構成され、各光学素子の受光信号を増幅部２に出力する。
増幅部２は、受光部１からの受光信号を所定のゲインで増幅した増幅信号を制御部３へ出力する。また、ゲイン切替部４の出力信号によりゲインが高感度または低感度に切替られる。
制御部３は、増幅信号をＡ／Ｄ変換した検出レベルと、記憶素子５（ＲＯＭ）に記憶された火災閾値と、を比較して火災判別し、火災判断すると自己アドレスを付与した（左方向の）火災検知信号を防災盤１００に送信する。
また、防災盤１００から増幅部２のゲインを高くする命令を受信すると、ゲイン切替部４に増幅部２のゲインを高くする制御信号を送信する一方、防災盤１００から増幅部２のゲインを低くする命令を受信すると、ゲイン切替部４に増幅部２のゲインを低くする制御信号を送信する。
ゲイン切替部４は、制御部３からの制御信号にしたがって、増幅部２のゲインを高く、または、ゲインを低く、それぞれ切替信号を出力する。
電源部６は、各回路に安定電源を供給する。また、送受信部７は、防災盤１００との信号を送受信する。
【００１３】
図２は、本発明におけるトンネル防災システムに係る火災検知器１０の前方が大型車両８等により火源が遮蔽されたときの防災盤１００の火災判定動作フローである。
【００１４】
Ｓ１において、所定の周期毎に、防災盤１００に接続された火災検知器１０ａ、１０ｂ、…１０ｎの左方向監視用受光部または右方向監視用受光部でいずれかの火災検知信号があるかを確認する。
なお、本来は、例えば、火災検知器１０ｂの左方向監視用受光部と火災検知器１０ｃの右方向監視用受光部とで二重に火災監視されているので、双方の火災検知器１０ｂ、１０ｃから防災盤１００に火災検知信号が送信され、防災盤１００は区画Ｂが火災であると断定するが、火災検知器１０ｂの左方向監視用受光部および右方向監視用受光部が大型車両８等により火源からのふく射光が遮蔽されているので、火災検知器１０ｃの右方向監視用受光部のみの火災検知信号が防災盤１００に送信される。
【００１５】
Ｓ２において、いずれかの火災検知器の火災検知信号があれば、Ｓ３において、火災検知器のアドレスと、左方向または右方向であるかを確認する。一方、いずれかの火災検知器の火災検知信号がなければ、Ｓ１に戻る。
【００１６】
Ｓ４において、区画Ｂで発生した火災の火源に対して、火災検知器１０ｃの右方向監視用受光部の火災検知信号が防災盤１００に送信された後に、所定の時間を経過しても火災検知器１０ｂの左方向監視用受光部から火災検知信号が送信されないと、防災盤１００は火災検知器１０ｂの左方向監視用受光部および右方向監視用受光部が大型車両８等により火源からのふく射光を遮蔽されていると判断して、火災検知器１０ｃから見て、火災検知信号を受信しなかった火災検知器１０ｂのさらに１つ隣の区画を監視している火災検知器１０ａの制御部３に増幅部２のゲインを高くする命令を送信する。そして、火災検知器１０ａの制御部３は増幅部２のゲインを高くする制御信号をゲイン切替部４に送信し、火災検知器１０ａの増幅部２はゲイン切替部４によってゲインを高く設定される。
【００１７】
Ｓ５において、Ｓ１と同様に、所定の周期毎に、防災盤１００に接続された火災検知器１０ａ、１０ｂ、…１０ｎの左方向監視用受光部または右方向監視用受光部でいずれかの火災検知信号があるかを確認する。
【００１８】
Ｓ６において、例えば、火災検知器１０ａの左方向監視用受光部の火災検知信号を受信すれば、Ｓ７において、防災盤１００は区画Ｂが火災であると断定する。一方、火災検知信号を受信しなければ、Ｓ５に戻る。
【００１９】
Ｓ８において、防災盤１００の復旧スイッチ（図示せず）の操作があれば、トンネル防災システムを全て復旧して、Ｓ１に戻る。一方、復旧スイッチの操作がなければ、復旧スイッチの待機状態となる。このとき、火災検知器１０の制御部３が防災盤１００から増幅部２のゲインを戻す命令を受信すると、制御信号をゲイン切替部４に出力し、ゲイン切替部４は増幅部２のゲインを通常監視における感度に戻す。
【００２０】
図３は、本発明におけるトンネル防災システムに係る火災検知器１０の前方の大型車両８等により火源が遮蔽されたときの区画毎の火災検知器１０の状態を示す概略図である。
例えば、図３に示すように、所定間隔（例えば、２５ｍ）ごとに設置された、火災検知器１０ｂの左方向監視用受光部と火災検知器１０ｃの右方向監視用受光部とで二重に監視される区画Ｂで火災が発生したとする。このとき、火災検知器１０ｂは、左方向監視用受光部と右方向監視用受光部の双方が大型車両８等により火源が遮蔽されているので、防災盤１００は、所定時間を経過しても火災検知器１０ｂ（アドレス２）の左方向監視用受光部の火災検出信号が送信されずに、火災検知器１０ｃ（アドレス３）の右方向監視用受光部の火災検出信号のみが送信される。
【００２１】
ここで、防災盤１００は、火災検知器１０ｂの左方向監視用受光部が大型車両８等により火源が遮蔽されていると判断し、区画Ｂが火災発生と推定し、火災検知器１０ｂのさらに１つ隣の区画を監視している火災検知器１０ａ（アドレス１）の制御部３に対して増幅部２のゲインを高くするように命令を送信する。
【００２２】
火災検知器１０ａの制御部３は、防災盤１００からの命令を受信すると、ゲイン切替部４に制御信号を出力し、増幅部２のゲインを高感度に切替させる。このとき、火災検知器１０ａの左方向監視用受光部は区画Ａから区画Ａ＋区画Ｂに監視距離が２倍となるので、増幅部２のゲインは、例えば、通常監視時の４倍と設定される。
その結果、防災盤１００は、区画Ｂが火災検知器１０ａの左方向監視用受光部と火災検知器１０ｃの右方向監視用受光部により二重に監視されるので、双方から火災検知信号が送信されると区画Ｂを火災と断定する。
なお、増幅部２のゲインは、監視距離を２倍としたときに火災検知ができる範囲で適宜設定される。
【００２３】
つまり、防災盤１００は、例えば、区画Ｂの火災判断動作においては、火災検知器１０ｂの左方向監視用受光部が大型車両８等により火源が遮蔽され、火災検知器１０ｃの右方向監視用受光部からしか火災検知信号が送信されずに区画Ｂを火災と断定できないときは、区画Ｂが火災発生と推定し、隣の区画Ａを監視している火災検知器１０ａの増幅部３のゲインを高感度に切替させ、火災検知器１０ｃの右方向監視用受光部と火災検知器１０ａの左方向監視用受光と二重に監視されるとともに、双方からの火災検知信号を受信することで区画Ｂの火災を断定する。従って、失報することなく、区画Ｂに水噴霧設備による消火用水が放水されて火源を消火できる。
【００２４】
このとき、防災盤１００は、同時に区画Ｃを監視している火災検知器１０ｄ（アドレス４）の制御部３に対して増幅部２のゲインを高くするように命令を送信する。
【００２５】
火災検知器１０ｄの制御部３は、防災盤１００からの命令を受信すると、ゲイン切替部４に制御信号を出力し、増幅部２のゲインを高感度に切替させる。このとき、火災検知器１０ｄの右方向監視用受光部は区画Ｃから区画Ｃ＋区画Ｂに監視距離が２倍となるので、増幅部２のゲインは、例えば、通常監視時の４倍と設定される。
その結果、防災盤１００は、区画Ｂが火災検知器１０ｄの右方向監視用受光部と火災検知器１０ｃの右方向監視用受光部により二重に監視されるので、双方から火災検知信号が送信されると区画Ｂを火災と断定する。
これにより、火災検知器１０ａまたは火災検知器１０ｄが確実に火源を検出できる。
【００２６】
図４は、特許文献１におけるトンネル防災システムに係る火災検知器１０の前方の大型車両８等により火源が遮蔽されたときの区画毎の火災検知器１０の状態を示す概略図である。
例えば、図４に示すように、火災検知器１０ｂの左方向監視用受光部と火災検知器１０ｃの右方向監視用受光部とで二重に監視される区画Ｂで火災が発生したとする。このとき、火災検知器１０ｂは、左方向監視用受光部と右方向監視用受光部の双方が大型車両８等により火源が遮蔽されているので、防災盤１００は、所定時間を経過しても火災検知器１０ｂ（アドレス２）の左方向監視用受光部の火災検出信号が送信されずに、火災検知器１０ｃ（アドレス３）の右方向監視用受光部の火災検出信号のみが送信される。
その結果、防災盤１００は、区画Ｂが火災検知器１０ａの左方向監視用受光部と火災検知器１０ｃの右方向監視用受光部により二重に監視されないので、区画Ｂを火災と断定できずに失報してしまう。
【符号の説明】
【００２７】
１  受光部、２  増幅部、３  制御部、４  ゲイン切替部、５  記憶素子、６  電源部、７  送受信部、８  大型車両（遮蔽物体）、１０  火災検知器、１００  防災盤、Ａ  Ｂ  Ｃ  区画。
【図１】
2010237868.tif 000003
【図２】
2010237868.tif 000004
【図３】
2010237868.tif 000005
【図４】
2010237868.tif 000006